(57)【特許請求の範囲】
【請求項１】
高圧側ポートと低圧側ポートとを有する弁ハウジングと、
前記弁ハウジング内に固定され前記低圧側ポートに一方の弁座端面が位置するように配置された弁座部材と、
前記弁座部材の両弁座端面間に互いに異なる口径で複数個貫設され、該弁座部材の各弁座端面に同心円上に間隔をおいて配置された弁ポートと、
前記弁ハウジング内に回転可能に設けられ、前記弁座部材の他方の弁座端面に端面が摺接して前記複数個の弁ポートを前記高圧側ポートから遮蔽するロータ弁体と、
前記ロータ弁体に形成され、前記複数個の弁ポートのうち前記弁ハウジング内での前記ロータ弁体の回転角度に対応するいずれか一つの弁ポートを、前記高圧側ポートに選択的に連通させる流路と、
前記ロータ弁体を前記弁ポートの周方向間隔に応じた分割回転角度をもって回転駆動する回転駆動手段と、
を有していることを特徴とするロータリステップ膨張弁。
【請求項２】
前記ロータ弁体の前記端面を前記弁座部材の前記他方の弁座端面に押し付ける押し付け手段をさらに備えることを特徴とする請求項１に記載のロータリステップ膨張弁。
【請求項３】
前記回転駆動手段はステッピングコイルの相励磁によりロータ弁体を前記弁ポートの周方向間隔に応じた分割回転角度をもって回転駆動する回転式ステッピングモータであることを特徴とする請求項１又は２記載のロータリステップ膨張弁。
【請求項４】
前記ロータ弁体の前記端面であって、前記流路によって前記高圧側ポートに選択的に連通される前記一つの弁ポートを除く他の前記弁ポートを前記高圧側ポートから遮蔽する端面部分には、前記流路とは隔離された凹部が形成され、前記低圧側ポートから前記他の弁ポートを通じて前記凹部に導かれた低圧流体と、前記高圧側ポートの高圧流体との差圧による押し付け荷重が、前記ロータ弁体に、該ロータ弁体の前記端面が前記他方の弁座端面に近づく向きに作用するように構成されていることを特徴とする請求項１、２又は３記載のロータリステップ膨張弁。
【請求項５】
凝縮器にて凝縮した圧縮機からの高圧冷媒を膨張弁により絞って蒸発器に供給する冷凍・冷蔵サイクル装置において、
前記膨張弁として請求項１、２、３又は４記載のロータリステップ膨張弁を使用し、
前記複数個の弁ポートのうち少なくとも一つの弁ポートは、前記流路により前記高圧側ポートに選択的に連通された状態で、前記高圧側ポートから前記低圧側ポートへの、前記凝縮器の凝縮能力を超えた量の液冷媒の通流を可能とする口径で形成され、
前記蒸発器の除霜時に、前記凝縮器の凝縮能力を超えた量の液冷媒の通流を可能とする口径で形成された前記弁ポートが前記流路により前記高圧側ポートに選択的に連通される回転角度に、前記ロータ弁体が前記回転駆動手段により回転駆動される、
ことを特徴とする冷凍・冷蔵サイクル装置。
【発明の詳細な説明】
【０００１】
【発明の属する技術分野】
この発明は、ロータリステップ膨張弁および冷凍・冷蔵サイクル装置に関し、特に、循環冷媒流量を段階的に制御するロータリステップ膨張弁および冷凍・冷蔵サイクル装置に関するものである。
【０００２】
【従来の技術】
循環冷媒流量を段階的に制御するロータリステップ膨張弁として、特開昭６２−２２９７４号公報に示されているようなものがある。このロータリステップ膨張弁は、回転弁体の外周面に開口した互いに口径が異なる複数個の弁ポートの内の一つが、前記回転弁体の分割回転変位によって当該回転弁体を回転可能に収容している弁ハウジングの内周面に開口している高圧側ポートに直接整合することにより、循環冷媒流量を段階的に制御するようになっている。
【０００３】
また、従来の冷凍・冷蔵サイクル装置における蒸発器の除霜は、一般に、四方弁により冷凍・冷蔵サイクルにおける冷媒流路を切り換えることにより行われている。
【０００４】
【発明が解決しようとする課題】
上述のような従来のロータリステップ膨張弁では、回転弁体の外周面に開口した弁ポートと弁ハウジングの内周面に開口している高圧側ポートとの直接整合により一つの弁ポートが開口状態になるが、回転弁体の外周面と弁ハウジングの内周面との間には回転弁体の回転のために、間隙が存在し、弁ポートと高圧側ポートと整合部において回転弁体の外周面を弁ハウジングの内周面に押し付けるように構造を取ることができないため、高圧側ポートとの直接整合していない他の弁ポートの遮蔽性が低く、この他の弁ポートにも冷媒が流れる。
【０００５】
このため、循環冷媒流量が開口状態にある弁ポートの口径だけでは決まらず、段階的な循環冷媒流量の制御を高精度を行うことが難しい。
【０００６】
また、従来の冷凍・冷蔵サイクル装置における蒸発器の除霜は、一般に、四方弁により冷凍・冷蔵サイクルにおける冷媒流路を切り換えることにより行われているから、蒸発器の除霜のためだけに四方弁が必要になり、冷凍・冷蔵サイクル装置がコスト高になる。
【０００７】
この発明は、上述の如き問題点を解消するためになされたものであり、本発明の第１の目的は、段階的な循環冷媒流量の制御を高精度を行うことができるロータリステップ膨張弁を提供することにあり、また、本発明の第２の目的は、四方弁を必要とすることなく蒸発器の除霜を行うことができる冷凍・冷蔵サイクル装置を提供することにある。
【０００８】
【課題を解決するための手段】
上述の目的を達成するために、請求項１に記載のロータリステップ膨張弁は、高圧側ポートと低圧側ポートとを有する弁ハウジングと、前記弁ハウジング内に固定され前記低圧側ポートに一方の弁座端面が位置するように配置された弁座部材と、前記弁座部材の両弁座端面間に互いに異なる口径で複数個貫設され、該弁座部材の各弁座端面に同心円上に間隔をおいて配置された弁ポートと、前記弁ハウジング内に回転可能に設けられ、前記弁座部材の他方の弁座端面に端面が摺接して前記複数個の弁ポートを前記高圧側ポートから遮蔽するロータ弁体と、前記ロータ弁体に形成され、前記複数個の弁ポートのうち前記弁ハウジング内での前記ロータ弁体の回転角度に対応するいずれか一つの弁ポートを、前記高圧側ポートに選択的に連通させる流路と、前記ロータ弁体を前記弁ポートの周方向間隔に応じた分割回転角度をもって回転駆動する回転駆動手段とを有しているものである。
【０００９】
請求項２に記載のロータリステップ膨張弁は、前記ロータ弁体の前記端面を前記弁座部材の前記他方の弁座端面に押し付ける押し付け手段をさらに備えるものである。
【００１０】
請求項３に記載のロータリステップ膨張弁は、前記回転駆動手段はステッピングコイルの相励磁によりロータ弁体を前記弁ポートの周方向間隔に応じた分割回転角度をもって回転駆動する回転式ステッピングモータであるものである。
【００１１】
請求項４記載のロータリステップ膨張弁は、前記ロータ弁体の前記端面であって、前記流路によって前記高圧側ポートに選択的に連通される前記一つの弁ポートを除く他の前記弁ポートを前記高圧側ポートから遮蔽する端面部分には、前記流路とは隔離された凹部が形成され、前記低圧側ポートから前記他の弁ポートを通じて前記凹部に導かれた低圧流体と、前記高圧側ポートの高圧流体との差圧による押し付け荷重が、前記ロータ弁体に、該ロータ弁体の前記端面が前記他方の弁座端面に近づく向きに作用するように構成されているものである。
【００１２】
請求項５に記載の冷凍・冷蔵サイクル装置は、凝縮器にて凝縮した圧縮機からの高圧冷媒を膨張弁により絞って蒸発器に供給する冷凍・冷蔵サイクル装置において、前記膨張弁として請求項１、２、３又は４記載のロータリステップ膨張弁を使用し、前記複数個の弁ポートのうち少なくとも一つの弁ポートは、前記流路により前記高圧側ポートに選択的に連通された状態で、前記高圧側ポートから前記低圧側ポートへの、前記凝縮器の凝縮能力を超えた量の液冷媒の通流を可能とする口径で形成され、前記蒸発器の除霜時に、前記凝縮器の凝縮能力を超えた量の液冷媒の通流を可能とする口径で形成された前記弁ポートが前記流路により前記高圧側ポートに選択的に連通される回転角度に、前記ロータ弁体が前記回転駆動手段により回転駆動されることを特徴とするものである。
【００１３】
請求項１記載のロータリステップ膨張弁によれば、回転駆動手段によってロータ弁体が弁座部材に設けられた弁ポートの周方向間隔に応じた分割回転角度をもって回転駆動され、複数個の弁ポートのうちロータ弁体の回転角度に対応する一つの弁ポートのみがロータ弁体の流路によって高圧側ポートに選択的に連通し、他の弁ポートは、弁座部材の他方の端面に摺接するロータ弁体の端面によって高圧側ポートから遮蔽されて、高圧側ポートと低圧側ポートとが、複数個の弁ポートのうちロータ弁体の回転角度に対応する一つの弁ポートと流路とを介して連通される。
【００１４】
請求項２記載のロータリステップ膨張弁によれば、押し付け手段がロータ弁体の端面を弁座部材の他方の弁座端面に押し付けることから、ロータ弁体の端面による高圧側ポートからの他の弁ポートの遮蔽が、高度なものとなる。
【００１５】
請求項３記載のロータリステップ膨張弁によれば、回転式ステッピングモータのステッピングコイルの相励磁によりロータ弁体が弁ポートの周方向間隔に応じた分割回転角度をもって回転駆動され、ロータ弁体の流路により高圧側ポートに連通される弁ポートが選ばれる。
【００１６】
請求項４記載のロータリステップ膨張弁によれば、ロータ弁体の端面に形成された凹部に、高圧側ポートから遮蔽された他の弁ポートを介して低圧側ポートの低圧流体が導かれ、この低圧流体と、高圧側ポートの高圧流体との差圧による押し付け荷重が、ロータ弁体の端面が他方の弁座端面に近づく向きに作用することにより、ロータ弁体の流路により高圧側ポートに連通している弁ポートを除く他の弁ポートの、高圧側ポートに対する遮蔽がより一層高度に行われる。
【００１７】
請求項５記載の冷凍・冷蔵サイクル装置によれば、請求項１、２、３又は４記載のロータリステップ膨張弁を使用して、蒸発器の除霜時に、ロータリステップ膨張弁の弁座部材に貫設される複数個の弁ポートのうち、凝縮器の凝縮能力を超えた量の液冷媒の通流を可能とする口径で形成された弁ポートが、ロータ弁体の流路により高圧側ポートに選択的に連通される回転角度に、ロータ弁体を回転駆動手段により回転駆動させることで、蒸発器の除霜時には、凝縮器の凝縮能力を超えた液冷媒が蒸発器に流れ込む。
【００１８】
【発明の実施の形態】
以下に添付の図を参照してこの発明の実施の形態を詳細に説明する。
【００１９】
図１、図２はこの発明によるロータリステップ膨張弁の一つの実施の形態を示している。ロータリステップ膨張弁は、弁ハウジング１に、高圧側ポート（入口ポート）３と、円形横断面の弁室５と、低圧側ポート（出口ポート）７とを有している。
【００２０】
弁室５には弁座部材９が固定配置されている。この弁座部材９の２つの弁座端面１２，１３のうち一方の弁座端面１２の周縁部には、環状の脚壁１２ａが立設されていて、この脚壁１２ａの先端を弁室５に付き当てることで、弁座端面１２が低圧側ポート７側に位置し、他方の弁座端面１３が高圧側ポート３側に位置するように配置されている。
【００２１】
弁座部材９の両弁座端面１２，１３間には、互いに口径が異なり、高圧側ポート３と低圧側ポート７とを連通する複数個の、図示例では５個の弁ポート１１ａ〜１１ｅが貫設されており、これら５個の弁ポート１１ａ〜１１ｅは、平面状に形成された弁座端面１３に同心円上に等間隔をおいて配置されている。ここでは、弁ポート１１ａの口径が最も小さく、これにより弁ポート１１ｅに向かうに従って口径が段階的に大きくなっており、弁ポート１１ｅの口径が最も大きい。
【００２２】
弁室５には円柱状のロータ弁体１５が弁中心軸１７に案内されて回転可能に設けられている。ロータ弁体１５は、一方の端面１９にて弁座部材９の弁座端面１３に摺接し、外側面に形成されて端面１９に開口した溝状の流路２１を有している。ロータ弁体１５は、弁ポート１１ａ〜１１ｅのうち回転変位により選ばれた一つの弁ポートのみを流路２１によって高圧側ポート３に開放し、他の弁ポートを端面１９により遮蔽するようになっている。
【００２３】
尚、ロータ弁体１５の回転角度によっては、弁ポート１１ａ〜１１ｅのいずれも流路２１によっては高圧側ポート３に開放されず、高圧側ポート３と低圧側ポート７との間が全閉状態となるようにすることもできる。
【００２４】
また、ロータ弁体１５の端面１９であって、流路２１によって高圧側ポート３に選択的に連通される一つの弁ポート１１を除く他の弁ポート１１を高圧側ポート３から遮蔽する端面１９部分には、流路２１とは隔離された凹部２３が形成されている。この凹部２３には遮蔽状態にある弁ポート１１ａ〜１１ｅを通して低圧側ポート７の低圧流体（冷媒）が導入される。
【００２５】
弁ハウジング１の上部にはカバー部材２５が密閉状態で固定されている。カバー部材２５内には、ロータ弁体１５の回転駆動手段である回転式ステッピングモータ２７のロータ２９と、ロータ２９に内挿された弁駆動体３１がロータ軸３３に案内されて回転可能に設けられている。弁駆動体３１は、先端の四角孔部３４によりロータ弁体１５の四角柱部３５と軸線方向に移動可能に係合し、ロータ２９の回転をロータ弁体１５に伝える。
【００２６】
カバー部材２５の外周部には、回転式ステッピングモータ２７のステッピングコイル３７と、ステッピングコイル３７に対して通電するための５端子のコネクタ３９とが固定されている。
【００２７】
回転式ステッピングモータ２７は、図３に示されているような、ステッピングコイル３７の相励磁（１−２相励磁）により、ロータ２９、弁駆動体３１、ロータ弁体１５を弁ポート１１ａ〜１１ｅの周方向間隔に応じた分割回転角度、この場合、４５度の分割回転角度をもって回転駆動する。なお、ロータ弁体１５の回転は、図示されていない弁閉ストッパと弁開ストッパとにより▲１▼〜▲６▼の２７０度の回転角範囲に規制され、ロータ弁体１５は往復回転する。
【００２８】
弁中心軸１７にはばねリテーナ４１が係合しており、ばねリテーナ４１と弁駆動体３１との間に、押し付け手段として、ロータ弁体１５の端面１９を弁座部材９の弁座端面１３に押し付ける圧縮コイルばね４３が設けられている。
【００２９】
上述のような構成によれば、図３に示されているようなコネクタ３９の端子に対するオン・オフ制御により、ステッピングコイル３７の１−２相励磁が行われ、ロータ２９、弁駆動体３１、ロータ弁体１５が弁ポート１１ａ〜１１ｅの周方向間隔に応じた４５度の分割回転角度をもって分割回転する。
【００３０】
これにより、高圧側ポート３と低圧側ポート７との間が全閉されるか、或は、弁ポート１１ａ〜１１ｅのうちの一つの弁ポート１１のみが選択的に流路２１によって高圧側ポート３に開放され、他の弁ポート１１は端面１９により遮蔽され、図４に示されているように、弁開口面積（Ａ１〜Ａ５）、換言すれば、冷媒流量が段階的に制御される。
【００３１】
上述のようなロータ弁体１５の分割回転駆動のためのステッピングコイル３７の励磁は、励磁相への通電をスイッチングするだけでよいから、この制御は、マイクロコンピュータ等を用いた複雑なプログラムにより行う必要はなく、簡単なスィッチング回路、リレー回路で行うことができる。
【００３２】
上述の冷媒流量制御において、圧縮コイルばね４３によってロータ弁体１５の端面１９が弁座部材９の弁座端面１３に押し付けらていることにより、ロータ弁体１５の流路２１と整合していない他の弁ポート１１は高度に遮蔽され、漏れのない高精度な冷媒流量制御が行われる。
【００３３】
さらに、低圧側ポート７の低圧流体が凹部２３に導かれていることにより、ロータ弁体１５に高圧側ポート３の高圧側冷媒と低圧側ポート７の低圧冷媒とによる差圧が作用し、この差圧による押し付け荷重がロータ弁体１５の端面１９と弁座部材９の弁座端面１３との押付面に作用するから、ロータ弁体１５の流路２１と整合していない他の弁ポート１１が更に高度に遮蔽され、漏れのない高精度な冷媒流量制御が行われる。
【００３４】
なお、上述のような構成による弁装置は、各弁ポート１１ａ〜１１ｅに継手を個別に接続することにより、切換弁としても機能する。
【００３５】
また、ロータ弁体１５の端面１９の凹部２３に、遮蔽状態にある弁ポート１１ａ〜１１ｅを通して低圧側ポート７の低圧流体（冷媒）が導入されて、この低圧流体と、高圧側ポート３の高圧流体との差圧による押し付け荷重が、ロータ弁体１５の端面１９が弁座部材９の弁座端面１３に近づく向きに作用することにより、ロータ弁体１５の流路２１により高圧側ポート３に連通している弁ポート１１を除く他の弁ポート１１の、高圧側ポート３に対する遮蔽がより一層高度に行われる。
【００３６】
図５は上述の構成によるロータリステップ膨張弁を組み込まれたこの発明による冷凍・冷蔵サイクル装置を示している。この冷凍・冷蔵サイクル装置は、圧縮機５１、凝縮器５３、レシーバ・ドライヤ５５、上述の構成によるロータリステップ膨張弁５７、蒸発器５９を順に有している。
【００３７】
ロータリステップ膨張弁５７の回転式ステッピングモータ２７に対する制御は制御装置６１に行われる。制御装置６１は、通常の運転時には室温等の蒸発器負荷量に応じて比較口径が小さい弁ポート１１ａ〜１１ｃが選択されて所要の絞り効果が得られるように、回転式ステッピングモータ２７によってロータ弁体１５の回転位置を制御を制御し、蒸発器５９の除霜時には凝縮器５３の凝縮能力を超えた液冷媒が蒸発器５９に流れるよう、比較的大きい口径の弁ポート１１ｄ、１１ｅが開放されるようにロータ弁体１５の回転位置を制御する。
【００３８】
これにより、四方弁を必要とすることなく蒸発器５９の除霜が行われる。
【００３９】
尚、凝縮器５３の凝縮能力を超えて蒸発器５９に流れ込んだ液冷媒が、蒸発器５９からさらに圧縮機５１に流入すると、圧縮機５１の破損を招くことになるため、必要に応じて蒸発器５９と圧縮機５１との間に、蒸発器５９から圧縮機５１への気体の通過を可能とし液体の通過を不能とする分離器（図示せず）を介設するようにしてもよい。
【００４０】
また、蒸発器５９と圧縮機５１との間にキャピラリチューブを並列に設け、蒸発器５９から圧縮機５１への冷媒通路を、キャピラリチューブを経由する経路と経由しない経路とのどちらかに切り換える三方弁を、キャピラリチューブよりも蒸発器５９側に介設し、この三方弁による冷媒通路の切り換えで、通常時には蒸発器５９から圧縮機５１に直接冷媒が流入すると共に、除霜時には蒸発器５９から一旦キャピラリチューブに流入しここで減圧された後に圧縮機５１に冷媒が流入するようにしてもよい。
【００４１】
そのように構成しても、凝縮器５３の凝縮能力を超えて蒸発器５９に流れ込んだ液冷媒をキャピラリチューブにおいて減圧し、これにより、液冷媒を気体冷媒に変化させて、液冷媒の流入による圧縮機５１の破損を未然に防ぐことができる。
【００４２】
【発明の効果】
以上の説明から理解される如く、請求項１記載のロータリステップ膨張弁によれば、高圧側ポートと低圧側ポートとを有する弁ハウジングと、前記弁ハウジング内に固定され前記低圧側ポートに一方の弁座端面が位置するように配置された弁座部材と、前記弁座部材の両弁座端面間に互いに異なる口径で複数個貫設され、該弁座部材の各弁座端面に同心円上に間隔をおいて配置された弁ポートと、前記弁ハウジング内に回転可能に設けられ、前記弁座部材の他方の弁座端面に端面が摺接して前記複数個の弁ポートを前記高圧側ポートから遮蔽するロータ弁体と、前記ロータ弁体に形成され、前記複数個の弁ポートのうち前記弁ハウジング内での前記ロータ弁体の回転角度に対応するいずれか一つの弁ポートを、前記高圧側ポートに選択的に連通させる流路と、前記ロータ弁体を前記弁ポートの周方向間隔に応じた分割回転角度をもって回転駆動する回転駆動手段とを有しているものとした。
【００４３】
このため、回転駆動手段によってロータ弁体が弁座部材に設けられた弁ポートの周方向間隔に応じた分割回転角度をもって回転駆動され、複数個の弁ポートのうちロータ弁体の回転角度に対応する一つの弁ポートのみがロータ弁体の流路によって高圧側ポートに選択的に連通し、他の弁ポートは、弁座部材の他方の端面に摺接するロータ弁体の端面によって高圧側ポートから遮蔽されて、高圧側ポートと低圧側ポートとが、複数個の弁ポートのうちロータ弁体の回転角度に対応する一つの弁ポートと流路とを介して連通されるから、段階的な循環冷媒流量の制御を高精度を行うことができるようになる。
【００４４】
請求項２記載のロータリステップ膨張弁によれば、前記ロータ弁体の前記端面を前記弁座部材の前記他方の弁座端面に押し付ける押し付け手段をさらに備えるものとした。
【００４５】
このため、押し付け手段がロータ弁体の端面を弁座部材の他方の弁座端面に押し付けることにより、ロータ弁体の端面による高圧側ポートからの他の弁ポートの遮蔽が、高度なものとなるから、漏れのない高精度な冷媒流量制御が行われるようになる。
【００４６】
請求項３記載のロータリステップ膨張弁によれば、前記回転駆動手段はステッピングコイルの相励磁によりロータ弁体を前記弁ポートの周方向間隔に応じた分割回転角度をもって回転駆動する回転式ステッピングモータであるものとした。
【００４７】
このため、回転式ステッピングモータのステッピングコイルの相励磁によりロータ弁体が弁ポートの周方向間隔に応じた分割回転角度をもって回転駆動され、ロータ弁体の流路により高圧側ポートに連通される弁ポートが選ばれるから、ロータ弁体の分割回転駆動のためのステッピングコイルの励磁は、励磁相への通電をスイッチングするだけでよく、この制御は、マイクロコンピュータ等を用いた複雑なプログラムにより行うことなく、簡単なスィッチング回路、リレー回路で行うことができる。
【００４８】
請求項４記載のロータリステップ膨張弁によれば、前記ロータ弁体の前記端面であって、前記流路によって前記高圧側ポートに選択的に連通される前記一つの弁ポートを除く他の前記弁ポートを前記高圧側ポートから遮蔽する端面部分には、前記流路とは隔離された凹部が形成され、前記低圧側ポートから前記他の弁ポートを通じて前記凹部に導かれた低圧流体と、前記高圧側ポートの高圧流体との差圧による押し付け荷重が、前記ロータ弁体に、該ロータ弁体の前記端面が前記他方の弁座端面に近づく向きに作用するように構成されているものとした。
【００４９】
このため、ロータ弁体の端面に形成された凹部に、高圧側ポートから遮蔽された他の弁ポートを介して低圧側ポートの低圧流体が導かれ、この低圧流体と、高圧側ポートの高圧流体との差圧による押し付け荷重が、ロータ弁体の端面が他方の弁座端面に近づく向きに作用することにより、ロータ弁体の流路により高圧側ポートに連通している弁ポートを除く他の弁ポートの、高圧側ポートに対する遮蔽がより一層高度に行われ、漏れのない高精度な冷媒流量制御が行われるようになる。
【００５０】
請求項５記載の冷凍・冷蔵サイクル装置によれば、凝縮器にて凝縮した圧縮機からの高圧冷媒を膨張弁により絞って蒸発器に供給する冷凍・冷蔵サイクル装置において、前記膨張弁として請求項１、２、３又は４記載のロータリステップ膨張弁を使用し、前記複数個の弁ポートのうち少なくとも一つの弁ポートは、前記流路により前記高圧側ポートに選択的に連通された状態で、前記高圧側ポートから前記低圧側ポートへの、前記凝縮器の凝縮能力を超えた量の液冷媒の通流を可能とする口径で形成され、前記蒸発器の除霜時に、前記凝縮器の凝縮能力を超えた量の液冷媒の通流を可能とする口径で形成された前記弁ポートが前記流路により前記高圧側ポートに選択的に連通される回転角度に、前記ロータ弁体が前記回転駆動手段により回転駆動されるものとした。
【００５１】
このため、請求項１、２、３又は４記載のロータリステップ膨張弁を使用して、蒸発器の除霜時に、ロータリステップ膨張弁の弁座部材に貫設される複数個の弁ポートのうち、凝縮器の凝縮能力を超えた量の液冷媒の通流を可能とする口径で形成された弁ポートが、ロータ弁体の流路により高圧側ポートに選択的に連通される回転角度に、ロータ弁体を回転駆動手段により回転駆動させることで、蒸発器の除霜時には、凝縮器の凝縮能力を超えた液冷媒が蒸発器に流れ込むから、四方弁を必要とすることなく蒸発器の除霜が行われる。
【図面の簡単な説明】
【図１】この発明によるロータリステップ膨張弁の一つの実施の形態を示す縦断面図である。
【図２】この発明によるロータリステップ膨張弁の要部を示す斜視図である。
【図３】この発明によるロータリステップ膨張弁における１−２相励磁制御を示す線図である。
【図４】この発明によるロータリステップ膨張弁における開弁特性を示すグラフである。
【図５】この発明による冷凍・冷蔵サイクル装置の一つの実施の形態を示すブロック線図である。
【符号の説明】
１  弁ハウジング
３  高圧側ポート
５  弁室
７  低圧側ポート
９  弁座部材
１１，１１ａ〜１１ｅ  弁ポート
１３  弁座端面
１５  ロータ弁体
１９  端面
２１  流路
２３  凹部
２７  回転式ステッピングモータ
２９  ロータ
３１  弁駆動体
３７  ステッピングコイル
４３  圧縮コイルばね
５１  圧縮機
５３  凝縮器
５５  レシーバ・ドライヤ
５７  ロータリステップ膨張弁
５９  蒸発器
６１  制御装置
【図１】
0003809002.tif 000002
【図２】
0003809002.tif 000003
【図３】
0003809002.tif 000004
【図４】
0003809002.tif 000005
【図５】
0003809002.tif 000006